(57)【特許請求の範囲】
【請求項１】
アンテナ装置の背面に一体的に形成された支持部と，当該支持部をボルト体を使って回動可能に支持すると共に，当該アンテナ装置を取り付け対象である支持物に取り付け可能に構成されたアンテナ取付具と，からなり，前記アンテナ装置の取り付け方向を調整可能に支持するアンテナ支持装置において，
前記支持部は，相互に略平行な一対の端面を備えた支持体に，前記一対の端面の間を貫通し，当該端面に直交する方向に軸線を有するように形成された支持孔と，少なくとも前記一対の端面における一方側の端面に備えられ，前記支持体と一体的に形成された持出状の弾性片であって,前記端面に沿うように形成された支持腕と当該支持腕の先端部に前記端面より外方向に突出するように備えられた先窄み状に形成された係止凸部とからなる係止弾性片と，を備えており，
前記アンテナ取付具は，少なくとも背面側に前記アンテナ装置の取付対象である支持物に対する取付手段を備えた基体と，当該基体に備えた前記取付手段とは反対側に突出させることによって，前記支持体の端面を挟み込むように対向配置された一対の板体であって，前記端面を挟むように装着した状態で，前記支持孔と対向する位置に相互に軸線を一致させるように備えられた雌ネジ部と，前記係止弾性片の係止凸部と対向する位置に当該係止凸部を受入れ嵌合する大きさに形成された係止凹部が設けられた，前記支持部を前記ボルト体を使って回動可能に挟着支持するように形成された一対の当付片と，からなるアンテナ取付部材を備えており，
前記支持部と前記アンテナ取付具の構成部材である前記アンテナ取付部材との組み付けに際して，前記支持部の背面側から前方に向かって，前記一対の当付片を前記支持体の一対の端面に沿わせつつ，前記係止弾性片を弾性変形させながら装着すると共に，前記支持部に形成された前記支持孔の軸心と，前記一対の当付片に備えられた前記雌ネジ部の軸心と，を略一致させたときに，前記支持体の一方側の端面に形成された前記係止弾性片の係止凸部と，前記の当付片に形成された前記係止凸部に対応する前記係止凹部と，を係脱自在に嵌合させることによって，前記支持部は前記アンテナ取付具に着脱自在に仮設置できるように構成されており，
しかも，前記支持部を仮設置した状態から，前記ボルト体を前記支持孔を介して前記雌ネジ部に対して緩装状態に螺合すれば，前記支持部を前記アンテナ取付具に対して左右方向に動かすことで，前記係止凸部と前記係止凹部との嵌合が解除されることから，前記支持部は前記アンテナ取付具に対して回動自在に組み付けられ，また，前記ボルト体を緊締操作することによって，前記支持部は前記アンテナ取付具に対して固着状態に組み付けられることを特徴としたアンテナ支持装置。
【請求項２】
前記支持孔は，前記端面に直交する方向に軸線を有するように形成された横長上のスライド孔と，当該スライド孔の略中央部より前記アンテナ装置側に設けられ，前記端面に直交する方向に軸線を有するように形成された貫通孔と，当該貫通孔と前記スライド孔の内側面とを連通するように設けられている縦長状の連通孔と，からなる，断面が略Ｔ字形状となるように形成されており，
前記支持部と前記アンテナ取付具の構成部材である前記アンテナ取付部材との組み付けに際して，前記支持部の背面側から前方に向かって，前記一対の当付片を前記支持体の一対の端面に沿わせつつ，前記係止弾性片を弾性変形させながら装着すると共に，前記支持部に形成された前記支持孔を構成する孔の内の前記貫通孔の軸心と，前記一対の当付片に備えられた前記雌ネジ部の軸心と，を略一致させた基準の状態のときに，前記支持体の一方側の端面に形成された前記係止弾性片の係止凸部と，前記の当付片に形成された前記係止凸部に対応する前記係止凹部と，を係脱自在に嵌合させることによって，前記支持部は前記アンテナ取付具に着脱自在に仮設置できるように構成したことを特徴とした請求項１のアンテナ支持装置。
【発明の詳細な説明】
【技術分野】
【０００１】
本発明は，アンテナ装置と，壁面やアンテナマストなどの取り付け対象である支持物との間に介設し，前記アンテナ装置を前記支持物に取り付けるためのアンテナ支持装置に関するものであり，詳しくは，簡単な構成であっても，広範囲に方向調整が可能で，しかも，アンテナ装置を多様な支持物に簡単，且つ安全に取り付けることができるアンテナ支持装置に関する。
【背景技術】
【０００２】
地上デジタル放送の完全デジタル化に伴い，地上デジタル放送を受信するためのアンテナ装置は，従来からあるエレメント素子から構成された長尺の八木・宇多アンテナだけでなく，小型であっても高性能なアンテナ装置が求められるようになった。そして，そのアンテナ装置の設置場所も，従来のような屋根上に設置するだけではなく，ベランダや壁面などの多様な設置場所に設置でき，しかも，住宅等の何れの場所に設置しても違和感がないような，意匠的にも全く新しいデザインのアンテナ装置が求められるようになった。
【０００３】
その為，アンテナ装置の性能やデザイン性の向上だけではなく，当該アンテナ装置を前記支持物に取り付けるためのアンテナ取付装置も，多様な設置場所に簡単に取り付けができ，しかも，その多様な設置場所における受信環境に対応するため，アンテナ装置の方向調整が広範囲に行なえる方位角調整機構を備えさせるなど，簡単な構成で，しかも高機能で信頼性の高いアンテナ取付装置が求められるようになった。
【０００４】
このようなアンテナ取付装置を，前記支持物に取り付ける際の取扱性に着目すると，建物等の壁面に取り付ける場合が，設置場所の選定が必要であることや設置工事における足場の悪さなどの点から考えても工事が難しい。その為，多様な設置場所に対応できるアンテナ取付装置を考える場合，その構成はアンテナ装置の支持剛性が確りした構成であることは勿論，簡単，且つ安全に組み付けができるものが望まれる。
【０００５】
そこで発明人の会社では，図１０に示したような，半ネジタイプのボルト３９が垂下した状態で遊挿自在に挿通されるように構成されたアンテナ取付具３０と，アンテナ装置１に一体的に形成された支持部２０と，からなるアンテナ取付装置２を提案している。
【０００６】
このアンテナ取付装置２によると，前記支持部２０は，略平行に対向する一対の端面２７・２８を備えた支持体２１に，当該支持体２１の内部を貫通するように形成された，前記端面２７・２８に直交する方向に軸線を有する貫通孔２９と，前記一方側の端面２７から前記貫通孔２９の軸線に直交する方向に向かって所定の大きさに形成された凹状の切り欠きであって，前記支持体２１の表面から前記貫通孔２９に連通するように形成されたＵ字状溝２２と，が備えられるように構成されている。一方，前記アンテナ取付具３０は，前記一対の端面２７・２８の配列位置に対応するように設けられた一対の突出片３７・３８と，当該一対の突出片３７，３８に対して軸線を一致させた状態で設けられた内周に雌ネジ部３７ｄ・３８ｄが形成されたネジ孔３７ｃ・３８ｃを備えるように構成されている。
【０００７】
このように構成された前記アンテナ取付装置２を壁面に取り付ける方法は，先ず，一方側の突出片（図１０の下側）３７に設けられた前記雌ネジ部３７ｃに，前記ボルト３９を予め垂下した状態に取り付けてあるアンテナ取付具３０を，壁面の所定の場所に周知の方法で確りと設置することから行われる。そして壁面に取り付けられた前記アンテナ取付具３０の一対の突出片３７・３８に対して，前記支持部２０の前記一対の端面を装着する。この時，前記支持部２０に形成された前記Ｕ字状溝２２の存在によって，前記アンテナ取付具３０の内側に突出した，前記ボルト３９の雄ネジ部３９ｂの存在があっても，その装着作業の邪魔になることはないので，作業効率のよいアンテナ取付装置２となっている。
【０００８】
しかも，その装着作業において，前記貫通孔２９の内壁奥部に前記ボルト３９の雄ネジ部３９ｂを当接させるように装着すれば，前記アンテナ取付具３０の突出片３７,３８に形成されたネジ孔３７ｃ・３８ｃの軸線と，前記支持部２０に形成された前記貫通孔２９の軸線が略一致することから，当該貫通孔２９は前記ボルト３９を他方側の突出片（図１０の上側）３８に設けられた雌ネジ部３８ｄまで誘導する役目を担う。つまり，従来技術の構成によれば，一方側の突出片３７のネジ孔３７ｃに垂下した状態の前記ボルト３９を持ち上げるだけで，前記ボルト３９の雄ネジ部３９ｂが前記他方側の雌ネジ部３８ｄに誘導され，当該ボルト３９の雄ネジ部３９ｂと前記雌ネジ部３８ｄとの螺合作業を容易とすることから，前記支持部２０と前記アンテナ取付具３０の組み付けが簡単且つ素早く行うことができる。
【０００９】
そして，前記ボルト３９が前記雌ネジ部３７ｄ・３８ｄに対して緩装状態となるように装着されれば，前記支持部２０は前記アンテナ取付具３０に対して，前記貫通孔２９に挿通された前記ボルト３９を回転軸として回動自在となるように組み付けられる。また，前記ボルト３９に対する緊締操作によって，前記支持部２０が前記アンテナ取付具３０に対して固着状態に組み付けられる。
（例えば，特許文献１参照）
【先行技術文献】
【特許文献】
【００１０】
【特許文献１】特開２０１０−２２６１５０号公報
【発明の概要】
【発明が解決しようとする課題】
【００１１】
ところがこのアンテナ取付装置２は，前記支持部２０と前記アンテナ取付具３０の組み付けにおいて，前記アンテナ取付具３０の一対の突出片３７・３８に対して，前記支持部２０の前記一対の端面を装着する構成であるから，前記支持部２０と前記アンテナ取付具３０の組み付けを簡単，且つ素早く行なえるようにするためには，前記アンテナ取付具３０に備えられた前記突出片３７，３８と，前記支持部２０の端面２７・２８との嵌合状態も重要となる。
【００１２】
例えば，前記一対の突出片３７・３８の先端部側を，内側に向かって僅かに窄めるように形成しておいて，前記支持部２０と前記アンテナ取付具３０との装着に際して，前記支持部２０が前記一対の突出片３７・３８を押し広げるようにして装着する構成としておけば，前記一対の突出片３７・３８による付勢力によって，当該一対の突出片３７・３８が前記支持部２０の端面２７・２８を確りと挟持するので，前記ボルト３９の装着がなされる前であっても，前記支持部２０（即ち，アンテナ装置１）は前記アンテナ取付具３０に仮設置することができるから，足場の悪い場所であってもその設置作業を容易とすることができる。
【００１３】
ところで，前記アンテナ取付具３０は，その支持剛性を損なわないように，ある程度肉厚の厚い金属材を用い，当該金属材を折り曲げ形成することで構成されている。その為，前記アンテナ取付具３０に形成された前記一対の突出片３７・３８は，容易に撓むことがないから，当該一対の突出片３７・３８に対して，前記支持部２０の前記一対の端面２７・２８を摺動させるようにして装着する構成としても，前記一対の突出片３７・３８の弾性変形に期待することができない。
【００１４】
つまり，前記一対の突出片３７・３８の形成具合によっては，前記支持部２０と前記アンテナ取付具３０との装着が簡単にはできなくなってしまう。その為，前記一方の端面２７と他方の端面２８の間隔の寸法Ｌ２０に対して，前記一方の突出片３７と前記他方の突出片３８の間隔の寸法Ｌ１０が適切となるように配置する必要が生じる。具体的には，前記一方の端面２７と他方の端面２８の間隔の寸法Ｌ２０に対して，前記一方の突出片３７と前記他方の突出片３８の間隔の寸法Ｌ１０を僅かに大きくなるようにしておくのが良い。
【００１５】
ところが，前記一方の端面２７と他方の端面２８の間隔の寸法Ｌ２０に対して，前記一方の突出片３７と前記他方の突出片３８の間隔の寸法Ｌ１０を僅かに大きくなるように構成した場合，前記支持部２０を前記アンテナ取付具３０に対して組み付けても，前記支持部２０が前記一対の突出片３７・３８によって挟持されないため，前記支持部２０（即ち，アンテナ装置１）を前記アンテナ取付具３０に対して仮設置することができない。例え一時的に仮載置できたとしても，前記一対の突出片３７・３８と前記一対の端面２７・２８との重合の程度によっては，風が吹いたり設置作業者の体の一部が触れたりする外的要因や，また，前記アンテナ装置１自体の形状（例えば，前記支持部とアンテナ装置１との位置関係）等によって，最悪の場合，前記アンテナ装置１が落下してしまう恐れがあった。このため，設置作業において，万が一にも前記アンテナ装置１が落下してしまうことが無いように，前記ボルト３９の螺合が終わるまで，紐などを使ってアンテナ装置１を安全が確保できる場所に結び付けておいたり，設置作業者が片手などを使って，前記アンテナ装置１を押さえたりしておく必要があるので，設置作業の容易性ばかりでなく安全性を損なう恐れがあった。
【００１６】
そこで本願においては，上述したような従来技術のアンテナ取付装置の問題点を解決し，多様な取付対象に簡単にアンテナ装置を取り付けることができるアンテナ取付装置（以下，本願発明の説明ではアンテナ支持装置と記載する）を提供することを課題としてなされたものであり，
その目的は，簡単な構成で，しかも，作業性の良いアンテナ支持装置を提供することにある。
他の目的は，低背化，小型化，軽量化が図れるアンテナ支持装置を提供することにある。
他の目的は，広範囲に亘って方向調整を行うことができるアンテナ支持装置を提供することにある。
【課題を解決するための手段】
【００１７】
上記課題を解決するために，請求項１の発明は，アンテナ装置の背面に一体的に形成された支持部と，当該支持部をボルト体を使って回動可能に支持すると共に，当該アンテナ装置を取り付け対象である支持物に取り付け可能に構成されたアンテナ取付具と，からなり，前記アンテナ装置の取り付け方向を調整可能に支持するアンテナ支持装置において，
前記支持部は，相互に略平行な一対の端面を備えた支持体に，前記一対の端面の間を貫通し，当該端面に直交する方向に軸線を有するように形成された支持孔と，少なくとも前記一対の端面における一方側の端面に備えられ，前記支持体と一体的に形成された持出状の弾性片であって,前記端面に沿うように形成された支持腕と当該支持腕の先端部に前記端面より外方向に突出するように形成された係止凸部とからなる係止弾性片と，を備えており，
前記アンテナ取付具は，少なくとも背面側に前記アンテナ装置の取付対象である支持物に対する取付手段を備えた基体と，当該基体に備えた前記取付手段とは反対側に突出させることによって，前記支持体の端面を挟み込むように対向配置された一対の板体であって，前記端面を挟むように挿着した状態で，前記支持孔と対向する位置に相互に軸線を一致させるように備えられた雌ネジ部と，前記係止弾性片の係止凸部と対向する位置に当該係止凸部を受入れる大きさに形成された係止凹部が設けられた，前記支持部を前記ボルト体を使って回動可能に挟着支持するように形成された一対の当付片と，からなるアンテナ取付部材を備えており，
前記支持部と前記アンテナ取付具の構成部材である前記アンテナ取付部材との組み付けに際して，前記支持部の背面側から前方に向かって，前記一対の当付片を前記支持体の一対の端面に沿わせつつ，前記係止弾性片を弾性変形させながら装着すると共に，前記支持部に形成された前記支持孔の軸心と，前記一対の当付片に備えられた前記雌ネジ部の軸心と，を略一致させたときに，前記支持体の一方側の端面に形成された前記係止弾性片の係止凸部と，前記の当付片に形成された前記係止凸部に対応する前記係止凹部と，を係脱自在に嵌合させることによって，前記支持部は前記アンテナ取付具に着脱自在に仮設置できるように構成されており，
しかも，前記支持部を仮設置した状態から，前記ボルト体を前記支持孔を介して前記雌ネジ部に対して緩装状態に螺合すれば，前記支持部を前記アンテナ取付具に対して左右方向に動かすことで，前記係止凸部と前記係止凹部との嵌合が解除されることから，前記支持部は前記アンテナ取付具に対して回動自在に組み付けられ，また，前記ボルト体を緊締操作することによって，前記支持部は前記アンテナ取付具に対して固着状態に組み付けられるように構成した。
【００１８】
請求項２の発明は，請求項１のアンテナ支持装置において，前記支持孔は，前記端面に直交する方向に軸線を有するように形成された横長上のスライド孔と，当該スライド孔の略中央部より前記アンテナ装置側に設けられ，前記端面に直交する方向に軸線を有するように形成された貫通孔と，当該貫通孔と前記スライド孔の内側面とを連通するように設けられている縦長状の連通孔と，からなる，断面が略Ｔ字形状となるように形成されており，
前記支持部と前記アンテナ取付具の構成部材である前記アンテナ取付部材との組み付けに際して，前記支持部の背面側から前方に向かって，前記一対の当付片を前記支持体の一対の端面に沿わせつつ，前記係止弾性片を弾性変形させながら装着すると共に，前記支持部に形成された前記支持孔を構成する孔の内の前記貫通孔の軸心と，前記一対の当付片に備えられた前記雌ネジ部の軸心と，を略一致させた基準の状態のときに，前記支持体の一方側の端面に形成された前記係止弾性片の係止凸部と，前記の当付片に形成された前記係止凸部に対応する前記係止凹部と，を係脱自在に嵌合させることによって，前記支持部は前記アンテナ取付具に着脱自在に仮設置できるように構成した。
【発明の効果】
【００１９】
請求項１の発明によれば，本願発明のアンテナ支持装置は，アンテナ装置の背面に一体的に形成された支持部と，当該支持部をボルト体を使って回動可能に支持すると共に，当該アンテナ装置を取り付け対象である支持物に取り付け可能に構成されたアンテナ取付具と，からなり，前記アンテナ装置の取り付け方向を調整可能に支持するように構成されている。
【００２０】
前記支持部は，相互に略平行な一対の端面を備えた支持体に，前記一対の端面の間を貫通し，当該端面に直交する方向に軸線を有するように形成された支持孔と，少なくとも前記一対の端面における一方側の端面に備えられ，前記支持体と一体的に形成された持出状の弾性片であって,前記端面に沿うように形成された支持腕と当該支持腕の先端部に前記端面より外方向に突出するように備えられた先窄み状に形成された係止凸部とからなる係止弾性片と，を備えている。
【００２１】
前記アンテナ取付具は，少なくとも背面側に前記アンテナ装置の取付対象である支持物に対する取付手段を備えた基体と，当該基体に備えた前記取付手段とは反対側に突出させることによって，前記支持体の端面を挟み込むように対向配置された一対の板体であって，前記端面を挟むように装着した状態で，前記支持孔と対向する位置に相互に軸線を一致させるように備えられた雌ネジ部と，前記係止弾性片の係止凸部と対向する位置に当該係止凸部を受入れ嵌合する大きさに形成された係止凹部が設けられた，前記支持部を前記ボルト体を使って回動可能に挟着支持するように形成された一対の当付片と，からなるアンテナ取付部材を備えている。
【００２２】
前記支持部と前記アンテナ取付具の構成部材である前記アンテナ取付部材との組み付けに際して，前記支持部の背面側から前方に向かって，前記一対の当付片を前記支持体の一対の端面に沿わせつつ，前記係止弾性片を弾性変形させながら装着すると共に，前記支持部に形成された前記支持孔の軸心と，前記一対の当付片に備えられた前記雌ネジ部の軸心と，を略一致させたときに，前記支持体の一方側の端面に形成された前記係止弾性片の係止凸部と，前記の当付片に形成された前記係止凸部に対応する前記係止凹部と，を係脱自在に嵌合させることによって，前記支持部は前記アンテナ取付具に着脱自在に仮設置できるように構成した。
【００２３】
しかも，前記支持部を仮設置した状態から，前記ボルト体を前記支持孔を介して前記雌ネジ部に対して緩装状態に螺合すれば，前記支持部を前記アンテナ取付具に対して左右方向に動かすことで，前記係止凸部と前記係止凹部との嵌合が解除されることから，前記支持部は前記アンテナ取付具に対して回動自在に組み付けられ，また，前記ボルト体を緊締操作することによって，前記支持部は前記アンテナ取付具に対して固着状態に組み付けられるように構成した。
【００２４】
このように構成された本願発明に係る請求項１のアンテナ支持装置によれば，前記アンテナ取付具と前記支持部との装着が正しく完了した状態（前記支持孔の軸心と，前記一対の当付片に備えられた前記雌ネジ部の軸心と，を略一致させた状態）において，前記支持部に形成された前記係止弾性片の係止凸部が，前記アンテナ取付具の構成部材である前記アンテナ取杖部材に形成された前記係止凹部に嵌合することから，前記支持部（即ち，アンテナ装置）は前記アンテナ取付具に対して一時的に仮設置できるようになる。
【００２５】
つまり，前記支持部を前記アンテナ取付具に対して装着するだけで，例えば，アンテナ装置を壁面に取り付ける場合のような，足場が悪い状態で行なわれる設置作業において，万が一にも前記アンテナ装置が前記アンテナ取付具から外れて落下してしまうことが無いように，前記ボルト体の前記雌ネジ部に対する螺合が終わるまで，紐などを使ってアンテナ装置を安全が確保できる場所に結び付けておいたり，設置作業者が片手などを使って，前記アンテナ装置を押さえたりするなどの特別な作業を必要としなくなるので，設置作業の容易性ばかりでなく安全性を損なうことがない。
【００２６】
また，前記支持部と前記アンテナ取付具との装着の途中では，前記係止弾性片が形成された端面に沿うように配設される前記当付片が，先窄み状に形成された前記係止凸部に当接することによって，前記係止突起を下方に押し付け，前記係止弾性片を撓ませるから，前記係止弾性片の係止凸部の存在があっても，前記支持部と前記アンテナ取付具との装着を邪魔することがない。同様に，前記アンテナ取付具に対して前記支持部を回動させる場合，即ち，アンテナ装置の方位角を調整する場合も，前記支持部を回動させることによって，前記係止弾性片に形成された係止凹部と前記係止弾性片に形成された係止凸部との嵌合が解除されるので，前記係止弾性片の係止凸部の存在があっても，前記支持部の回動を邪魔することがない。
【００２７】
請求項２の発明によれば，請求項１のアンテナ支持装置において，前記支持孔は，前記端面に直交する方向に軸線を有するように形成された横長上のスライド孔と，当該スライド孔の略中央部より前記アンテナ装置側に設けられ，前記端面に直交する方向に軸線を有するように形成された貫通孔と，当該貫通孔と前記スライド孔の内側面とを連通するように設けられている縦長状の連通孔と，からなる，断面が略Ｔ字形状となるように形成されている。
【００２８】
前記支持部と前記アンテナ取付具の構成部材である前記アンテナ取付部材との組み付けに際して，前記支持部の背面側から前方に向かって，前記一対の当付片を前記支持体の一対の端面に沿わせつつ，前記係止弾性片を弾性変形させながら装着すると共に，前記支持部に形成された前記支持孔を構成する孔の内の前記貫通孔の軸心と，前記一対の当付片に備えられた前記雌ネジ部の軸心と，を略一致させた基準の状態のときに，前記支持体の一方側の端面に形成された前記係止弾性片の係止凸部と，前記の当付片に形成された前記係止凸部に対応する前記係止凹部と，を係脱自在に嵌合させることによって，前記支持部は前記アンテナ取付具に着脱自在に仮設置できるように構成した。
【００２９】
このように構成された本願発明に係る請求項２のアンテナ支持装置によれば，前記支持部と前記アンテナ取付具の構成部材である前記アンテナ取付部材とが，前記基準の状態に装着されたときに，前記支持部は前記アンテナ取付部材に対して，当該支持部における最もアンテナ装置側に形成された前記貫通孔の軸線が，前記アンテナ取付部材に備えられた前記一対の雌ネジ部の軸線と略一致するまで奥深く挿入されるから，前記アンテナ取付部材から突出する前記支持部の寸法が短くなり，延いては，アンテナ装置が前記アンテナ取付具に対して最も低背な状態となるように装着することができる。
【００３０】
このため，本願発明のアンテナ支持装置を，例えば，前後方向の寸法が極めて短い平面状のアンテナ装置に適用すれば，前記基準の状態において前記支持部を前記アンテナ取付具に対して仮設置したときに，例え，前記アンテナ装置の重心の位置が，当該支持部より前寄りにあったとしても，当該支持部に加わる前記アンテナ装置の回転モーメントを極めて小さくできるので，前記アンテナ装置の存在があっても，前記係止弾性片に備えられた係止凸部と前記一方側の当付片に備えられた係止凹部との嵌合状態，及び，前記支持部と前記アンテナ取付具との装着状態に大きく影響を及ぼすことが無く，前記支持部の仮設置の状態をより安定したものに維持することができる。
【図面の簡単な説明】
【００３１】
【図１】本願発明のアンテナ支持装置の概略構成を説明するための分解斜視図。
【図２】本願発明のアンテナ支持装置を構成する支持部の一例を示す図であり，（ａ）は支持部を説明するための上面図，（ｂ）は（ｄ）におけるＡ−Ａ´線から見た断面図，（ｃ）は（ｄ）におけるＢ−Ｂ´線から見た断面図，（ｄ）は（ａ）におけるＣ−Ｃ´線から見た断面図，（ｅ）は（ａ）におけるＤ−Ｄ´線から見た断面図，（ｆ）は支持孔の間隙（内径）とボルト体の寸法との比較図。
【図３】本願発明のアンテナ支持装置を構成するアンテナ取付部材の一例を示す図であり，（ａ）はアンテナ取付部材の上面図，（ｂ）は下面図，（ｃ）は（ａ）におけるＥ−Ｅ´線から見た側面図，（ｄ）は（ａ）におけるＦ−Ｆ´線から見た断面図。
【図４】アンテナ取付具に支持部（アンテナ装置）を取り付ける方法を説明するための図であり，アンテナ取付具と支持部を取り付ける前の状態を側面から見た断面図。
【図５】アンテナ取付具に支持部（アンテナ装置）を取り付ける方法を説明するための図であり，（ａ）はアンテナ取付具に支持部を取り付けた状態を側面から見た断面図，（ｂ）は，アンテナ取付具と支持部の組み付けが完了した状態を側面から見た一部を破断した断面図。
【図６】アンテナ取付具を構成するアンテナ取付部材と支持部との嵌合状態を説明するための一部断面図であり，（ａ）は組み付けの途中における嵌合状態，（ｂ）は図５（ａ）における嵌合状態，（ｃ）は図８（ａ）におけるK−K´線から見た嵌合状態，（ｄ）は図８（ｂ）におけるL−L´線から見た嵌合状態。
【図７】本願発明の支持部を説明するための要部拡大図であり，（ａ）は図２（ａ）の要部拡大図，（ｂ）は図２（ｂ）の要部拡大図，（ｃ）は図２（ｃ）の要部拡大図。
【図８】アンテナ取付部材と支持部（アンテナ装置）の取り付け状態の説明図であり，（ａ）はアンテナ取付部材と支持部との装着完了時の取り付け状態を説明するための上面図，（ｂ）はアンテナ取付部材と支持部の可動範囲を説明するための上面図。
【図９】（ａ）は本願発明のアンテナ支持装置を使ってアンテナ装置をアンテナマストに取り付けた状態を説明するための上面図，（ｂ）は本願発明のアンテナ支持装置を使ってアンテナ装置を壁面に取り付けた状態を説明するための上面図。
【図１０】従来技術のアンテナ取付装置を説明するために一部を破断した側面図である。
【発明を実施するための形態】
【実施例１】
【００３２】
以下に本願発明に係るアンテナ支持装置の一実施形態について図１を基に説明する。
図１は本願発明が適用されたアンテナ支持装置６０の概略構成を説明するために分解した斜視図である。
本願発明の前記アンテナ支持装置６０は，後に詳述するように，アンテナ装置１を壁面等で代表される取付面へ取り付けができるばかりでなく，アンテナマストやベランダ等の支柱に取り付けができるなど，多様な設置場所に取り付けるように構成されている。それに伴い，当該アンテナ支持装置６０に適用するアンテナ装置１は，当該アンテナ装置１を壁面に取り付けても違和感が無いように，当該壁面から突出する寸法が大きくならない，前後方向の寸法が短い全体略平面状のアンテナが望ましい。
尚，以下の説明で方向を示す場合は，特に明記しない限りアンテナ装置１の設置方向を基準とし，アンテナ装置１の正面側が前側，若しくは前面と記載し，アンテナ装置１の後面側が後側，若しくは背面と記載する。つまり，図１における分解斜視図において，図の斜め右上側（奥行き側）が前側，若しくは前面であり，斜め左下側（手前側）が後側，若しくは背面とする。また，図の上が上方，若しくは上側，図の下が下方，若しくは下とする。
【００３３】
図１に示されるように，本願発明の前記アンテナ支持装置６０は，前記アンテナ装置１の背面１ａに一体的に設けられ，当該アンテナ装置１を保持するために用いられる支持部１０と，取り付け対象である支持物に取り付けられて用いられるように構成されているアンテナ取付具５０と，からなる。
【００３４】
更に，本願発明の実施形態における前記アンテナ取付具５０は，前記支持部１０（即ち，アンテナ装置１）を支持すると共に，前記アンテナ装置１を取り付け対象である支持物に添え付けるように構成されたアンテナ取付部材２０と，当該アンテナ取付部材２０に装着され，前記支持部１０を前記アンテナ取付部材２０に対して回動自在に連結するために用いられる連結手段３０と，前記アンテナ取付部材２０の背面側に備えられ，前記アンテナ装置１を取り付け対象である支持物に取り付けるために用いられる取付手段(詳細は後に説明する)と，から構成されている。
【００３５】
先ず前記連結手段３０の実施例について図１を基に説明する。本願発明の実施形態における前記連結手段３０は，少なくとも先端部から所定長Ｈｔに亘る範囲に雄ネジ部３０ａが形成された，所定の長さの軸部３０ｂを有する半ネジタイプのボルト体（以下の説明では，連結手段のことをボルト体３０と記載する。）である。更に詳しく言えば，このボルト体３０に設けられた前記雄ネジ部３０ａの外径寸法はＷｔであり，前記軸部３０ｂの外径寸法は，前記雄ネジ部３０ａの外径寸法Ｗｔより僅かに短いＷｓとなるように構成されている。尚，以下の説明では，連結手段３０としてボルト体を用いた例を示したが，前記支持部１０とアンテナ取付具５０を回動自在に固着できれば，この実施形態に限定されることは無い。
【００３６】
次に前記支持部１０について図１及び図２を基に説明する。これらの図の内，図２は本願発明のアンテナ支持装置６０を構成する前記支持部１０の一例を示す図であり，（ａ）は支持部１０を説明するための上面図，（ｂ）は（ｄ）におけるＡ−Ａ´線から見た断面図，（ｃ）は（ｄ）におけるＢ−Ｂ´線から見た断面図，（ｄ）は（ａ）におけるＣ−Ｃ´線から見た断面図，（ｅ）は（ａ）におけるＤ−Ｄ´線から見た断面図，（ｆ）は前記支持部１０に形成された支持孔１２の間隙の幅寸法（内径寸法）である寸法Ｗ１及び寸法Ｗ２と，前記ボルト体３０の外径寸法である寸法Ｗｔ及び寸法Ｗｓとの比較図である。
【００３７】
本願発明の実施形態における前記支持部１０は，前記アンテナ装置１を構成しているアンテナ素子（図示されていない）を収納する，例えば合成樹脂材からなる全体略平面状のケース本体と一体的に形成されており，前記アンテナ装置１の背面１ａより後側に向かって突出するように設けられている。具体的には，前記支持部１０は，図１の上側と下側に平行状態で対向配置された一対の端面１１ａ・１１ｂを有する支持体１１と，当該支持体１１における一方の端面１１ａと他方の端面１１ｂの間を貫通するように設けられた支持孔１２と，前記一対の端面１１ａ・１１ｂにおける，少なくとも一方側の端面（本願発明の実施例では図１の上側の端面１１ａ）に備えられ，前記支持体１１と一体的に形成された持出状の弾性片であって,前記端面１１ａに沿うように形成された支持腕１７ｂと当該支持腕１７ｂの先端部に前記端面１１ａより外方向に突出するように形成された係止凸部１７ａとからなる係止弾性片１７と，から構成されている。尚，本願発明の実施形態では，前記支持部１０を前記アンテナ装置１の背面１ａの下側に備えた例を示したが，背面１ａであれば何れに設けても良い。また，その形成方向も実施形態に限定されるものではない。
【００３８】
前記支持孔１２は，それぞれ前記一対の端面１１ａ・１１ｂの間を貫通する３つの孔から構成されており，当該端面１１ａ・１１ｂに直交する方向に軸線を有するように形成された横長状のスライド孔１３と，当該スライド孔１３の中央部より前記アンテナ装置１側（即ち，前側）に設けられ，前記端面１１ａ・１１ｂに直交する方向に軸線を有するように形成された貫通孔１５と，当該貫通孔１５と前記スライド孔１３とを連通するように設けられ，前記端面１１ａ・１１ｂに直交する方向に軸線を有するように形成されている縦長状の連通孔１４と，がそれぞれ相互に重合するように連設されている。そして，この支持孔１２はこれらの３つの孔でもって，断面形状が全体略Ｔ字形状となるように構成されている。
【００３９】
このように構成された本願発明の前記支持孔１２は，当該支持孔１２内における第１中間位置と第２中間位置によって区分された，軸線方向に配列される３つの支持孔部から構成されている。即ち，図２（ｄ）に示されているように，図の上側の端面１１ａから下向きに所定長となる前記第１中間位置までの範囲の上側支持孔部１２Ａと，図の下側の端面１１ｂから上向きに所定長となる前記第２中間位置までの範囲の下側支持孔部１２Ｃと，前記第１中間位置と前記第２中間位置との間に存置する中間支持孔部１２Ｂと，が軸線方向に連設するように配置されている。
【００４０】
先ず，前記上側支持孔部１２Ａについて図２（ａ），（ｄ），（ｆ）を基に詳しく説明する。本願発明の実施形態に係る前記支持孔１２の内面には，当該支持孔１２の前記上側の端面１１ａ側の開口端１２ａから所定長だけ下方である第１中間位置に，当該支持孔１２の軸線に直交する平面に平行な方向に，多くとも前記スライド孔１３と前記連通孔１４の内周面（言い換えれば，前記支持孔１２の内周面の内，少なくとも前記貫通孔１５の内周面を除く部分）に亘って段差１２ａｂが形成されている。即ち，この段差１２ａｂの位置が前記第１中間位置であり，少なくとも前記支持体１１の前記上側の端面１１ａからこの段差１２ａｂが形成された第１中間位置までの範囲が，前記上側支持孔部１２Ａとなる。
尚，この段差１２ａｂの存在によって，当該段差１２ａｂ部分の間隙の幅寸法（内径寸法）Ｗ２は，前記上側支持孔部１２Ａ部分の間隙の幅寸法（内径寸法）Ｗ１と比べ，僅かに狭くなるように構成されている。
【００４１】
この段差１２ａｂの形成位置，つまり，前記第１中間位置の寸法は，前記上側の端面１１ａにおける前記支持孔１２の開口端１２ａから，少なくとも前記ボルト体３０の前記雄ネジ部３０ａが形成された範囲の寸法Ｈｔより大きい寸法Ｈｓとなる位置に形成されている。
【００４２】
そして，前記上側支持孔部１２Ａは，前記支持孔１２を構成する３つの孔（スライド孔１３，連通孔１４，貫通孔１５）における，前記上側支持孔部１２Ａ部分に相当する部分（スライド孔１３Ａ，連通孔１４Ａ及び貫通孔１５Ａ）のそれぞれの間隙の幅寸法（内径寸法）はＷ１となるように形成されており，その大きさは，前記ボルト体３０の前記雄ネジ部３０ａの外径寸法Ｗｔより僅かに大きい寸法となるように形成されている。
【００４３】
次に，前記下側支持孔部１２Ｃについて図２（ｃ），（ｄ），（ｆ）を基に詳しく説明する。本願発明の実施形態に係る前記支持部１０には，当該支持部１０を構成する前記支持体１１の下方側中央部分に，前記下側の端面１１ｂから前記支持孔１２の軸線方向に沿う方向に所定の大きさで形成された凹状の切り欠きであって，前記支持体１１の表面１１ｃに形成される挿入口１８ａから，前記スライド孔１３及び前記連通孔１４を介して前記貫通孔１５と連通するように形成された切欠部１８が形成されている。
【００４４】
この切欠部１８は，その高さが，前記支持体１１の前記下側の端面１１ｂから上側に向かって，少なくとも前記ボルト体３０の前記雄ネジ部３０ａが形成された範囲の所定長Ｈｔより大きい寸法Ｈｇとなる大きさに，前記支持体１１を凹状に切り欠くように形成されている。また当該切欠部１８の幅（若しくは内径）は，前記ボルト体３０の前記雄ネジ部３０ａの外径寸法Ｗｔより僅かに大きい寸法Ｗ１となるような大きさに形成されている。
【００４５】
本願発明の実施形態では，少なくとも前記下側の端面１１ｂから寸法Ｈｇだけ上方となる位置が，前記支持孔１２の内周面における前記第２中間位置であり，前記支持体１１の前記下側の端面１１ｂから前記第２中間位置までの範囲が，前記支持孔１２における前記下側支持孔部１２Ｃとなる。
【００４６】
つまり，前記下側支持孔部１２Ｃは，前記支持孔１２を構成する３つの孔（スライド孔１３，連通孔１４，貫通孔１５）の内，前記連通孔１４及び前記貫通孔１５の前記下側支持孔部１２Ｃ部分に相当する部分（連通孔１４Ｃ及び貫通孔１５Ｃ）のそれぞれの間隙の幅寸法（内径寸法）が，前記ボルト体３０の前記雄ネジ部３０ａの外径寸法Ｗｔより僅かに大きい寸法Ｗ１となるように形成されていることになる。
【００４７】
また，前記スライド孔１３の前記下側支持孔部１２Ｃ部分に相当するスライド孔１３Ｃの間隙の幅寸法（内径寸法）は，前記切欠部１８を除いて，前記ボルト体３０の軸部３０ｂの外径寸法Ｗｓより大きく，且つ，前記ボルト体３０の雄ネジ部３０ａの外径寸法Ｗｔと略同じか，若しくは，僅かに短い寸法であるＷ２となるように形成されていることから，前記下側支持孔部１２Ｃは，前記挿入口１８ａから，前記連通孔１４と前記貫通孔１５の前記下側支持孔部１２Ｃ部分である連通孔１４Ｃ及び貫通孔１５Ｃに至る前記切欠部１８の間隙の幅寸法（内径寸法）がＷ１で，前記スライド孔１３の前記下側支持孔部１２Ｃ部分に相当するスライド孔１３Ｃの間隙の幅寸法（内径寸法）がＷ２である，２つの異なる間隙の幅寸法を持つように構成されている。
【００４８】
次に，前記中間支持孔部１２Ｂについて図２（ｂ），（ｄ），（ｅ），（ｆ）を基に詳しく説明する。本願発明の実施形態では，前記第１中間位置である前記段差１２ａｂと前記第２中間位置である前記切欠部１８との間に位置するのが中間支持孔部１２Ｂである。当該中間支持孔部１２Ｂは，前記支持孔１２を構成する３つの孔（スライド孔１３，連通孔１４，貫通孔１５）の内，前記スライド孔１３の前記中間支持孔部１２Ｂ部分に相当するスライド孔１３Ｂ及び連通孔１４Ｂの間隙の幅寸法が，前記ボルト体３０の軸部３０ｂの外径寸法Ｗｓより大きく，且つ，前記ボルト体３０の雄ネジ部３０ａの外径寸法Ｗｔと略同じか，若しくは，短い寸法であるＷ２となるように形成されている。また，前記貫通孔１５の前記中間支持孔部１２Ｂ部分に相当する貫通孔１５Ｂの内径は，前記ボルト体３０の前記雄ネジ部３０ａの外径寸法Ｗｔより大きい寸法Ｗ１となるような大きさに形成されている。
【００４９】
以上まとめると，本願発明の実施形態に係る前記支持孔１２によると，当該支持孔１２を構成するスライド孔１３の間隙の幅寸法（内径寸法）は，前記上側支持孔部１２Ａ部分の前記スライド孔１３Ａが寸法Ｗ１，前記中間支持孔部１２Ｂ部分の前記スライド孔１３Ｂが寸法Ｗ２，前記下側支持孔部１２Ｃ部分の前記スライド孔１３Ｃが寸法Ｗ２であり，前記スライド孔１３Ｂと前記スライド孔１３Ｃの間隙の幅寸法（内径寸法）は，前記スライド孔１３Ａより狭い寸法となるように形成されている。
前記連通孔１４の間隙の幅寸法（内径寸法）は，前記上側支持孔部１２Ａ部分の前記連通孔１４Ａが寸法Ｗ１，前記中間支持孔部１２Ｂ部分の前記連通孔１４Ｂが寸法Ｗ２，前記下側支持孔部１２Ｃ部分の前記連通孔１４Ｃが寸法Ｗ１であり，前記中間支持孔部１２Ｂ部分の前記連通孔１４Ｂの間隙の幅寸法（内径寸法）は，前記連通孔１４Ａ，１４Ｃの間隙の幅寸法（内径寸法）より狭くなるように形成されている。
前記貫通孔１５の内径寸法は，前記上側支持孔部１２Ａ部分の前記貫通孔１５Ａが寸法Ｗ１，前記中間支持孔部１２Ｂ部分の前記貫通孔１５Ｂが寸法Ｗ１，前記下側支持孔部１２Ｃ部分の前記貫通孔１５Ｃが寸法Ｗ１であり，それぞれ同じ寸法となるように形成されている。
【００５０】
次に，図１及び図２を用いて本願発明の実施形態における前記係止弾性片１７について詳しく説明する。本願発明の実施形態に係る前記係止弾性片１７は，少なくとも前記一方側の端面１１ａ（本願の実施例では図１の上側の端面）の周縁１１ｅ部分に備えられた，前記支持体１１と一体的に形成された持出状の弾性片であって,前記端面１１ａに沿うように形成された支持腕１７ｂと，当該支持腕１７ｂの先端部に，前記端面１１ａがなす平面より外方向（図１の上方向）に突出する突起であって，先端に向かうほど先窄み状となるように形成された係止凸部１７ａと，から構成されている。
【００５１】
この係止弾性片１７における前記支持腕１７ｂ肉厚は，当該支持腕１７ｂが可撓性を有する程の肉厚に形成されており，しかも，当該係止弾性片１７の下側には，前記支持体１１の表面１１ｃに形成されたリブ１１ｆによって囲まれた空間が存在し，また，前記支持腕１７ｂと前記支持体１１との接続部分を除いた，前記端面１１ａとの間に間隙が形成されていることによって，当該係止弾性片１７は図１の上下方向に可撓自在となる。尚，本願発明の実施形態では，一対の前記係止弾性片１７を前記一方の端面１１に相互に対向するように設けた例を示したが,前記係止弾性片１７の形成数や形成位置は実施形態に限定されるものではない。
【００５２】
更に，前記支持体１１の表面１１ｃの中間位置には，当該表面１１ｃから前方側に向かうように形成された収納穴１１ｄ・１１ｄが形成されている。この収納穴１１ｄ・１１ｄは，後述するアンテナ取付部材２０に装着された挟持金具４０に備えられた締着ボルト４５（図１参照）と対向する位置に形成されており，当該締着ボルト４５の自由端部４５ａを挿抜自在に受入れるほどの奥行きと内径を有するように形成されている。
【００５３】
次に本願発明の実施形態に係る前記アンテナ取付具５０を構成する前記アンテナ取付部材２０について図１及び図３を用いて説明する。これらの図の内，図３はアンテナ取付部材２０の一例を説明するための図であり，（ａ）はアンテナ取付部材２０の上面図，（ｂ）は下面図，（ｃ）は（ａ）におけるＥ−Ｅ´線から見た側面図，（ｄ）は（ａ）におけるＦ−Ｆ´線から見た断面図である。尚，図３において破線で示したボルト体３０は，当該ボルト体３０の存在を模式的に示したものであり，当該アンテナ取付部材２０に装着する状態を示すために表示したものである。
【００５４】
本願発明の実施形態に係るアンテナ取付部材２０は，略４角形状に形成された本体２１の背面に，前記アンテナ装置１を取り付け対象の支持物に取り付けるための取付面２２を備え，前面には前記本体２１の対向する一対の辺から一体的に突設され，前記支持部１０において対向配置された前記一対の端面１１ａ，１１ｂに装着可能なように，当該一対の端面１１ａ，１１ｂの配列位置に対応する間隔で設けられた一対の当付片２１ａ，２１ｂが形成されている。具体的には，前記一方の当付片２１ａと他方の当付片２１ｂとの間の間隔の寸法は，前記一方の端面１１ａと他方の端面１１ｂとの間の間隔の寸法より僅か大きくなるように形成していくのが望ましい。
【００５５】
加えて，前記一対の当付片２１ａ，２１ｂには，当該アンテナ取付部材２０に前記支持部１０を取り付けたときに，当該支持部１０に形成された前記支持孔１２の軸線と一致する位置に，相互に軸線を一致させるように備えられた，内周面に前記ボルト体３０の雄ネジ部３０ａに対応する雌ネジ２９ａ，２９ｂが形成された雌ネジ部２９Ａ，２９Ｂが設けられている。
【００５６】
更に，前記一対の当付片２１ａ，２１ｂの内の，少なくとも一方側の当付片（本願発明の実施形態では上側の当付片２１ａ）には，前記アンテナ取付部材２０に前記支持部１０を装着したときに，前記係止弾性片１７の係止凸部１７ａと対向する位置に，当該係止凸部１７ａを受入れ嵌合する程の大きさに形成された，前記当付片２１ａの外方向に突出するように内側を凹ませた係止凹部２７ａが設けられている。
【００５７】
前記アンテナ取付部材２０の前記取付面２２について更に詳しく説明する。図１及び図３に良く示されているように，前記本体２１の取付面２２には，当該取付面２２の略中央部を前面側に折り返すように断面略く字状に凹ませた折曲部が形成されている。この折曲部は，図１に示されている，取り付け対象の支持物の一つである，アンテナマスト５に代表される支柱に当て付けて取り付けるためのアンテナマスト当接部２４である。そして，このアンテナマスト当接部２４の両側にはネジ孔２５が形成されており，このネジ孔２５に，前記アンテナマスト５を挟持する周知の前記挟持金具４０に備えられた締着ボルト４５を緊締することによって，このアンテナ取付部材２０はアンテナマスト５やベランダ等の支柱に固着することができる｛図９（ａ）参照｝。
【００５８】
また，前記アンテナマスト当接部２４の両側にあって，前記ネジ孔２５が形成された平面は，このアンテナ取付部材２０を，取り付け対象の支持物の他の実施例である，例えば構造物等の壁面６に代表される平面状の取付面に取り付けるための当付部２３である。前記アンテナ取付部材２０の壁面６への取り付けは，当該当付部２３を壁面に当接させた状態で，木ネジ等を当該当付部２３に形成された取付孔２８ａ，２８ｂ等の前面側から壁面６に螺着することで行われる｛図９（ｂ）参照｝。
【００５９】
尚，本願発明の実施形態では，この当付部２３と前記アンテナマスト当接部２４とで，前記本体２１に備えられた前記取付面２２を構成している。また，少なくとも当該取付面２２と前記挟持金具４０とで請求項に記載の取付手段を構成している。
【００６０】
次に，このように構成された前記アンテナ取付具５０と，前記支持部１０の組み付け手順について図４から図７を用いて説明する。これらの図において，図４はアンテナ取付具５０に支持部１０を取り付ける方法を説明するための図であり，アンテナ取付具５０と支持部１０を取り付ける前の状態を側面から見た一部を破断した断面図である。図５はアンテナ取付具５０に支持部１０を取り付ける方法を説明するための図であり，（ａ）はアンテナ取付具５０に支持部１０を取り付けた状態を側面から見た一部を破断した断面図，（ｂ）はアンテナ取付具５０と支持部１０の組み付けが完了した状態を側面から見た一部を破断した断面図である。図６はアンテナ取付具５０を構成するアンテナ取付部材２０と支持部１０との嵌合状態を説明するための一部を断面にした背面図であり，（ａ）は組み付けの途中における嵌合状態，（ｂ）は図５（ａ）における嵌合状態，（ｃ）は図８（ａ）におけるK−K´線から見た嵌合状態，（ｄ）は図８（ｂ）におけるL−L´線から見た嵌合状態を示している。図７は本願発明の支持部２０を説明するための要部拡大図であり，（ａ）は図２（ａ）の要部拡大図，（ｂ）は図２（ｂ）の要部拡大図，（ｃ）は図２（ｃ）の要部拡大図である。
【００６１】
前記支持部１０と前記アンテナ取付具５０の組み付けは，図４に示されているように，前記アンテナ取付具５０の構成要素である，前記アンテナ取付部材２０に設けられた他方の当付片（本願発明の実施形態では，図の下側の当付片）２１ｂに備えられた雌ネジ部２９Ｂの雌ねじ２９ｂに対して，前記ボルト体３０の雄ネジ部３０ａを螺合して，当該ボルト体３０が前記他方の当付片２１ｂから垂下した状態となるように装着することから始める。この時，前記ボルト体３０が前記他方の当付片２１ｂの内側（図の上側）に突出する部分の最大寸法は，前記雄ネジ部３０ａが形成された寸法Ｈｔとなる。
【００６２】
前記支持部１０と前記アンテナ取付具５０の組み付けについて更に詳しく説明する。前記アンテナ装置１を壁面６に取り付ける作業は，本願発明のアンテナ取付具５０の構成上，先ず当該アンテナ取付具５０を壁面６に固定してからの作業となる。その為，前記ボルト体３０を，予めアンテナ取付部材２０における前記他方の当付片２１ｂから垂下した状態となるように装着しておいて，この状態のアンテナ取付具５０に対して前記支持部１０を装着できれば，前記支持部１０（即ち，アンテナ装置１）の装着作業が簡単になる。
【００６３】
その為，本願発明の実施形態に係る前記支持部１０の下方位置には，図４に示されているように，前記挿入口１８ａから前記貫通孔１５Ｃに至る前記切欠部１８が形成されており，前記支持部１０を前記アンテナ取付具５０に装着するに当たって，前記アンテナ取付部材２０に垂下するように装着された状態の前記ボルト体３０の雄ネジ部３０ａが，前記切欠部１８において遊挿自在となるから，前記ボルト体３０の雄ネジ部３０ａの存在があっても，前記支持部１０と前記アンテナ取付具５０との装着を邪魔することがない。
【００６４】
また，前記支持部１０と前記アンテナ取付具５０との装着の途中における，前記係止弾性片１７の状態が図６（ａ）に示されている。この図によると，前記端面１１ａに沿うように配設される前記一方の当付片２１の前側端部が，先窄み状に形成された前記係止凸部１７ａの側面に当接することによって，当該係止突起１７ａを下方に押し付けることから，前記係止弾性片１７が図の下方に撓むため，前記係止弾性片１７の係止凸部１７ａの存在があっても，前記支持部１０と前記アンテナ取付具５０との装着を邪魔することがない。
【００６５】
つまり，前記支持部１０を図４の矢印Ｆ方向に移動させるだけで，前記ボルト体３０が垂下した状態で装着されたアンテナ取付部材２０の前記当付片２１ａ，２１ｂに対して，前記支持部１０の端面１１ａ，１１ｂを装着することができることから，例えば，前記支持部１０を前記アンテナ取付部材２０に装着した状態で，前記アンテナ装置１を何らかの手段で保持しつつ，前記ボルト体３０を前記アンテナ取付部材の当付片２１ｂに設けられた雌ネジ部２８Ｂに対して螺合するといった一連の面倒な手間を掛けることなく組み付けができ，延いては設置作業を簡単，且つ安全にできるようにする。
【００６６】
この時の前記支持部１０と前記アンテナ取付具５０との装着の状態について，図７（ｃ）を用いて詳しく説明する。この図７（ｃ）は図２（ｃ）で示された断面図（即ち，前記下側支持孔部１２Ｃを説明するための図）の要部拡大図である。尚，図を簡単にするため，この図７（ｃ）にはアンテナ取付具５０の存在を示すために前記ボルト体３０だけを表示した。図７（ｃ）に示されているように，前記支持部１０を，図に示した前記ボルト体３０に対して矢印の（１）方向に移動させるようにして装着すると，前記アンテナ取付部材２０の他方の当付片２１ｂに垂下した状態に装着された前記ボルト体３０の雄ネジ部３０ｂは，前記切欠部１８の存在によって，図７（ｃ）の左右方向に遊挿自在に装着されることがわかる。つまり，本願発明の実施形態に係る前記支持部１０（即ち，アンテナ装置１）は，前記アンテナ取付具５０に対して前後方向｛図７（ｃ）の左右方向｝にスライド自在に装着される。
【００６７】
一方，前記スライド孔１３の前記下側支持孔部１２Ｃ部分に相当する前記スライド孔１３Ｃの間隙の幅寸法（内径寸法）Ｗ２が，前記ボルト体３０の雄ネジ部３０ａの外径寸法Ｗｔと同じ寸法，若しくは，僅かに短い寸法となるように形成されているため，前記支持部１０を図７に示した前記ボルト体３０に対して矢印の（２）方向に移動させるようにしても，前記スライド孔１３Ｃは，前記ボルト体３０の雄ネジ部３０ｂの浸入を阻止することがわかる。つまり，前記ボルト体３０が前記アンテナ取付部材２０に垂下した状態では，前記支持部１０（即ち，アンテナ装置１）は，前記アンテナ取付部材２０に対して，前記スライド孔１３Ｃに沿うような，左右方向｛図７（ｃ）の上下方向｝へのスライドが制限されるように構成されている。このように，前記支持部１０を前記アンテナ取付具５０に対して装着した状態が図５（ａ）に示されている。
【００６８】
既に詳述したように，本願発明の実施形態においては，前記切欠部１８と，前記支持部１０に形成された前記支持孔１２部分を構成する３つの孔（スライド孔１３，連通孔１４，貫通孔１５）の内，前記貫通孔１５だけが，前記ボルト体３０の雄ネジ部３０ａの外径寸法Ｗｔより僅かに大きい内径寸法Ｗ１で形成されている。
【００６９】
よって本願発明の実施形態では，図５（ａ）で示された装着状態から，図５（ｂ）で示されたように，他方の当付片２１ｂに垂下された状態にある前記ボルト体３０を，一方の当付片２１ａに供えられた雌ネジ部２９Ａに螺合するためには，前記他方の当付片２１ｂに備えられた雌ネジ部２９Ｂの軸線と，前記貫通孔１５の軸線と，前記一方の当付片２１ａに備えられた雌ネジ部２９Ａの軸線と，を略一致させた時だけ可能となる。尚，軸線を略一致させる方法として，前記支持部１０を前記アンテナ取付部材２０に取り付ける際に，前記ボルト体３０の雄ネジ部３０ａが前記下側支持孔部１２Ｃ部分における前記貫通孔１５Ｃの内周面に当接させるように装着することで実現できる。
【００７０】
図５（ａ）の挿着状態，即ち，前記他方の当付片２１ｂに備えられた雌ネジ部２９Ｂの軸線と，前記貫通孔１５の軸線と，前記一方の当付片２１ａに備えられた雌ネジ部２９Ａの軸線と，を略一致させた状態に装着したときの，前記アンテナ取付具５０と前記支持部１０との嵌合状態が図６（ｂ）に示されている。この図６（ｂ）によると，前記支持部１０を前記アンテナ取付具５０に対して正しく配置すると，少なくとも，前記係止弾性片１７を構成する前記支持腕１７ｂの先端部に形成された前記係止凸部１７ａが，前記係止凹部２７ａと対向配置するので，前記アンテナ取付具５０と前記支持部１０との装着時に下方に撓んだ状態にあった前記係止弾性片１７が，前記支持腕１７ｂの付勢力によって撓む前の状態に戻るため，前記係止凸部１７が前記係止凹部２７ａに嵌り込んで相互に嵌合する。
【００７１】
つまり，本願発明の実施形態によれば，図５（ａ）で示された装着状態（即ち，前記他方の当付片２１ｂに備えられた雌ネジ部２９Ｂの軸線と，前記貫通孔１５の軸線と，前記一方の当付片２１ａに備えられた雌ネジ部２９Ａの軸線と，を略一致させた状態。尚，以下の説明では，この装着状態を前置装着状態と記載する。）において，前記支持部１０に形成された前記係止弾性片１７の係止凸部１７ａが，前記アンテナ取杖部材２０に形成された係止凹部２７ａに着脱自在に嵌合することによって，前記支持部１０（即ち，アンテナ装置１）は前記アンテナ取付具５０に対して一時的に仮設置できるようになる。尚，本願発明の実施形態では記前置装着状態が請求項２に記載の基準の状態である。
【００７２】
これによって，例えば，アンテナ装置１を壁面に取り付ける場合のように，足場が悪い状態で行なわれる設置作業において，前記支持体１０を前記アンテナ取付具５０に対して前記前置装着状態にしておけば，簡単，且つ安全に前記ボルト体３０の螺合作業を行うことができる。そして，その螺合作業の際に，万が一にも前記アンテナ装置１が前記アンテナ取付具５０から外れて落下してしまうことが無いように，前記ボルト体３０の螺合が終わるまで，紐などを使ってアンテナ装置１を安全が確保できる場所に結び付けておいたり，設置作業者が片手などを使って，前記アンテナ装置１を押さえたりしておく必要が無くなるので，設置作業の容易性ばかりでなく安全性を損なうことを防止できる。
【００７３】
一方，前記前置装着状態では，既に詳述したように前記支持部１０は前記アンテナ取付具５０に対して低背な状態となるように装着することができる。何故なら前記前置装着状態では，前記支持部１０は前記アンテナ取付具５０に対して，断面略Ｔ字状の前記支持孔１２を構成する３つの孔の内，最もアンテナ装置１側に形成された前記貫通孔１５の軸線と，前記一対の当付片２１ａ・２１ｂに備えられた前記雌ネジ部２９Ａ，２９Ｂの軸線と，，が略一致するように装着されるからである。
【００７４】
これによれば，本願発明のアンテナ支持装置１を，例えば，本願発明の図面に図示した，前後方向の寸法が極めて短い平面状のアンテナ装置１に適用すれば，前記前置装着状態において前記支持部１０を前記アンテナ取付具５０に対して仮設置したときに，例え，前記アンテナ装置１の重心の位置が，当該支持部より前寄りにあったとしても，当該支持部１０に加わる前記アンテナ装置１の回転モーメントを極めて小さくできるので，前記アンテナ装置１の存在があっても，前記係止弾性片１７に備えられた係止凸部１７ａと前記一方側の当付片２１ａに備えられた係止凹部２７ａとの嵌合状態，及び，前記支持部１０と前記アンテナ取付具５０との装着状態に大きく影響を及ぼすことが無く，前記支持部１０の仮設置の状態をより安定したものに維持することができる。
【００７５】
次に，図５（ｂ）及び図７（ａ），（ｂ）を用いて，前記ボルト体３０が前記雌ネジ部２９Ａ・２９Ｂに対して緩装された状態（即ち，前記ボルト体３０が緊締されていない状態で緩装された前記支持部１０と前記アンテナ取付具５０との装着状態。尚，以下の説明では，この装着状態を第１装着状態と記載する。）について説明する。尚，説明を簡単にするため，この図７（ａ），（ｂ）にはアンテナ取付具５０の存在を示すために前記ボルト体３０だけを表示した。既に詳述したように，前記上側支持孔部１２Ａの形成範囲となる第１中間位置，即ち，前記段差１２ａｂは，前記支持体１１の前記一方の端面１１ａにおける記支持孔１２の開口端１２ａから，少なくとも前記ボルト体３０の前記雄ネジ部３０ａが形成された範囲の寸法Ｈｔより大きい寸法Ｈｓとなる位置に形成されている（図４参照）。
【００７６】
加えて，前記上側支持孔部１２Ａ部分を構成する３つの孔（スライド孔１３Ａ，連通孔１４Ａ，貫通孔１５Ａ）の間隙の幅寸法（内径寸法）が，全て前記ボルト体３０の雄ネジ部３０ａの外径寸法Ｗｔより大きい寸法Ｗ１で形成されていることから，前記支持部１０が前記アンテナ取付具５０に対して装着が完了した（即ち，ボルト体３０が前記雌ネジ部２９Ａ・２９Ｂに対して緩装状態に装着した）状態では，図７（ａ）に良く示されているように，前記ボルト体３０の雄ネジ部３０ａ部分は，前記貫通孔１５Ａの内部空間において遊挿状態に装着されるばかりでなく，図中におけるボルト体３０Ａの存在が示すように，前記上側支持孔部１２Ａを構成する前記連通孔１４Ａから前記スライド孔１３Ａに至る内部空間においても遊挿自在となるように装着される。
【００７７】
また，前記中間支持孔部１２Ｂ部分を構成する３つの孔（スライド孔１３Ｂ，連通孔１４Ｂ，貫通孔１５Ｂ）の間隙の幅寸法（内径寸法）は，前記誘導部３４における前記平面３４ａがなす空間部分（寸法Ｗ１）及び前記貫通孔１５Ｂ（寸法Ｗ１）を除いて，前記ボルト体３０の軸部３０ｂの外径寸法Ｗｓより大きく，且つ，前記ボルト体３０の雄ネジ部３０ａの外径寸法Ｗｔと略同じか，若しくは，短い寸法Ｗ２となるように形成されていることから，前記支持部１０が前記アンテナ取付具５０に対して装着が完了した状態では，図７（ｂ）によく示されているように，前記ボルト体３０の前記軸部３０ｂ部分は，前記貫通孔１５Ｂの内部空間において遊挿状態に装着されるばかりでなく，図中におけるボルト体３０Ａの存在が示すように，前記中間支持孔部１２Ｂを構成する前記連通孔１４Ｂから前記スライド孔１３Ａに至る内部空間においても遊挿自在となるように装着される。
【００７８】
同様に，前記下側支持孔部１２Ｃ部分を構成する３つの孔（スライド孔１３Ｃ，連通孔１４Ｃ，貫通孔１５Ｃ）の間隙の幅寸法（内径寸法）の内，前記切欠部１８を構成する前記連通孔１４Ｃ及び前記貫通孔１５Ｃを除く前記スライド孔１３Ｃだけが，前記ボルト体３０の軸部３０ｂの外径寸法Ｗｓより大きく，且つ，前記ボルト体３０の雄ネジ部３０ａの外径寸法Ｗｔと略同じか，若しくは，短い寸法Ｗ２となるように形成されていることから，前記支持部１０が前記アンテナ取付具５０に対して装着が完了した状態では，図７（ｃ）におけるボルト体３０Ａが示すように，前記ボルト体３０の前記軸部３０ｂ部分は，前記下側支持孔部１２Ｃを構成するスライド孔１３Ｃの内部空間において遊挿自在となるように装着される。
【００７９】
つまり，本願発明の実施形態では，前記支持部１０（即ち，アンテナ装置１）と前記アンテナ取付具５０を前記第１装着状態に装着すると，前記支持部１０は前記アンテナ取付具５０に対して，前記支持孔１２に沿わせながら，図７（ａ）の矢印の（３）方向，（４）方向へ自在にスライド可能となり，前記支持部１０の回動の回転軸となる前記ボルト体３０の位置を，前記支持孔１２の形成範囲内の何れの位置に移動させることができるように構成されているのである。
【００８０】
ここで，図８及び図９を基に，前記支持部１０（即ち，アンテナ装置１）と前記アンテナ取付具５０を装着した前記第１装着状態における，前記支持部１０と前記アンテナ取付部材２０との関係について詳しく説明する。これらの図において，図８はアンテナ取付部材２０と支持部１０（アンテナ装置１）の取り付け状態の説明図であり，（ａ）はアンテナ取付部材２０と支持部１０との前記第１装着状態を説明するための上面図，（ｂ）はアンテナ取付部材２０と支持部１０の可動範囲を説明するための上面図である。図９（ａ）は本願発明のアンテナ支持装置６０を使ってアンテナ装置１をアンテナマスト５に取り付けた状態を説明するための上面図，（ｂ）は本願発明のアンテナ支持装置６０を使ってアンテナ装置１を壁面６に取り付けた状態を説明するための上面図である。
【００８１】
本願発明の実施形態に係るアンテナ支持装置６０では，前記支持部１０が前記アンテナ取付具５０に対して装着が完了した前記第１装着状態において，前記支持部１０は，当該支持部１０に形成された前記支持孔１２の内の，最もアンテナ装置１側に位置する前記貫通孔１５において装着されることから，図８（ａ）においてＬ１で示された前後方向（図の左右方向）の寸法を短くでき，前記アンテナ取付具５０に対して前記アンテナ装置が最も低背状態で組み付けられることが分かる。
【００８２】
尚，図９（ａ）で示される前記アンテナ装置１をアンテナマスト５に取り付け場合や，図９（ｂ）で示された壁面取り付け例の内，前記アンテナ装置１を前記壁面６に直交する方向に向けて設置する場合は，前記第１装着状態において前記ボルト体３０を緊締すれば，前記アンテナ装置１は前記アンテナ取付具５０に対して低背（前記アンテナ取付具５０から前記アンテナ装置１が突出する寸法を短くできる）状態で確りと固着状態に取り付けられる。この第１装着状態から，前記ボルト体３０を緊締したときの前記アンテナ取付具５０と前記支持部１０との嵌合状態が，図６（ｃ）に示されている。この図６（ｃ）は，図８（ａ）におけるＫ−Ｋ´線から支持部１０とアンテナ取付部材２０の一部断面を見た概略図である。
【００８３】
一方，図７（ａ）に示されているように，前記第１装着状態から，当該支持部１０を図の矢印の（３）方向から矢印の（４）方向にスライドさせ，前記スライド孔１３の中間位置にボルト体３０Ａを配設した装着状態（以下の説明では，この装着状態を第２装着状態と記載する。）にしたときは，図８（ａ）において一点鎖線で示された仮想のアンテナ取付部材２０Ａの存在が示すように，前記支持部１０は前記アンテナ取付部材２０に対して回動させることができる。
【００８４】
前記第２装着状態にあるときの，前記アンテナ取付具５０と前記支持部１０との嵌合状態が図６（ｄ）に示されている。この図６（ｄ）は，図８（ａ）におけるＬ−Ｌ´線から支持部１０とアンテナ取付部材２０の一部断面を見た概略図である。この図６（ｄ）によれば，前記アンテナ取付具５０と前記支持部１０との相対的な位置関係を，前記第１装着状態から前記第２装着状態まで移動させる場合，前記一方の当付片２１ａに形成された前記係止凹部２６ａと前記係止凸部１７ａが嵌合していたとしても，前記係止凸部１７ａが先窄み状に形成されていることによって，前記一方の当付片２１ａが，前記係止弾性片１７を下方に撓ませ，前記係止凸部１７ａと前記係止凹部２７ａとの嵌合状態を解除することから，前記第１装着状態から前記第２装着状態に至るまでの移動作業の容易性を損なうことは無い。
【００８５】
次に，図８（ｂ）及び図９（ｂ）を用いて説明する。図８（ｂ）に示されているように，前記支持部１０を図の矢印Ｓ方向にスライドさせ，図中の破線で示されたアンテナ取付部材２０Ｂの位置にしたとき，具体的には当該アンテナ取付部材２０Ｂのボルト体３０Ｂの配設位置が，前記スライド孔１３における図の上側の終端部１３Ｄに位置させた装着状態（以下の説明では，このスライド孔１３の終端部１３Ｄに装着した状態を第３装着状態と記載する。）では，前記支持部１０は前記アンテナ取付部材２０に対して，前記終端部１３Ｄを回転軸とすることで，最も大きな範囲で回動することができる（図の下側に位置する二点鎖線で示されたアンテナ取付部材２０Ｃも同様に装着される）。
【００８６】
つまり，本願発明の実施形態におけるアンテナ支持装置６０によれば，前記第３装着状態では，図８（ｂ）に示されているように，前記スライド孔１３の前記終端部１３Ｄの軸線より外側（図の上側）に位置するアンテナ装置１の突出部分の寸法Ｌ２を短くすることができるから，前記支持部１０の回動角度θ｛図８（ｂ）において示された角度θ＝例えば６０°｝を最も大きくすることができる。
【００８７】
即ち，前記支持孔１２を構成する前記スライド孔１３を横長状に構成したことによって，図９（ｂ）の破線で示したアンテナ装置１Ｂ，二点鎖線で示したアンテナ装置１Ｃのように，前記支持体１０の回転軸の位置を変更することができるので，前記壁面６等への設置であっても，当該アンテナ装置の方向調整範囲を大きくできるから，壁面の配設方向と電波の到来方向や到来電波の信号品質等によって生じる多様な設置条件にも対応可能となる，極めて利便性の良いアンテナ支持装置６０を提供できる。
【００８８】
尚，本願発明は，発明の趣旨を逸脱しない範囲で以下のように各部の構成を適宜に変更して実施することも可能である，
例えば，前記アンテナ支持装置６０による前記支持部１０（即ち，前記アンテナ装置１）に対する仮設置機構は，それぞれ前記一対の端面１１ａ・１１ｂの間を貫通する３つの孔（スライド孔１３，連通孔１４，貫通孔１５）からなる前記支持孔１２が形成された前記支持部１０に適用した例を示したが，この実施形態に限定されるものではなく，例えば背景技術で示したアンテナ取付装置（本願発明のアンテナ支持装置）のように，一つの貫通孔だけを備えた支持部に適用してもよい。この実施形態の場合，支持部に形成された貫通孔が１つであるから，当該支持部は断面略Ｔ字の支持孔を備えた場合よりアンテナ装置から突出する寸法が短くなる。このため，前記支持部とアンテナ取杖具との重合部分が一層狭くなるから，設置作業において前記アンテナ装置がアンテナ取付具から落下する可能性が高くなるため，１つの貫通孔だけが備えられた支持部に本願発明の前記仮設置機構を適用することによって，当該仮設置機構の作用効果を極めて良好に発揮することができる。
【符号の説明】
【００８９】
１…アンテナ装置，１ａ…背面，１ｂ…側面，５…アンテナマスト，６…壁面，１０…支持部，１１…支持体，１１ａ・１１ｂ…端面，１１ｃ…表面，１１ｄ…収納穴，１１ｅ…周縁，１２…支持孔，１２Ａ…上側支持孔部，１２Ｂ…中間支持孔部，１２Ｃ…下側支持孔部，１２ａ・１２ｂ…開口端，１２ａｂ…段部，１３（１３Ａ，１３Ｂ，１３Ｃ）…スライド孔，１３Ｄ…終端部，１４（１４Ａ，１４Ｂ，１４Ｃ）…連通孔，１５（１５Ａ，１５Ｂ，１５Ｃ）…貫通孔，１７…係止弾性片，１７ａ…係止凸部，１７ｂ…支持腕，１８…切欠部，１８ａ…挿入口，２０・２０Ａ・２０Ｂ・２０Ｃ…アンテナ取付部材，２１…本体，２１ａ・２１ｂ…当付片，２２…取付面，２３…当付部，２４…アンテナマスト当接部，２５…ネジ孔，２７ａ…係止凹部，２８ａ・２８ｂ…取付孔，２９Ａ・２９Ｂ…雌ネジ部，２９ａ・２９ａ…雌ネジ，３０・３０Ａ・３０Ｂ・３０Ｃ…ボルト体，３０ａ…雄ネジ部，３０ｂ…軸部，３４…誘導部，３４ａ…段差，３４ｂ…平面，４０…挟持金具，４５…締着ボルト，４５ａ…自由端部，５０…アンテナ取付具，６０…アンテナ支持装置。
【図１】
0005777989.tif 000002
【図２】
0005777989.tif 000003
【図３】
0005777989.tif 000004
【図４】
0005777989.tif 000005
【図５】
0005777989.tif 000006
【図６】
0005777989.tif 000007
【図７】
0005777989.tif 000008
【図８】
0005777989.tif 000009
【図９】
0005777989.tif 000010
【図１０】
0005777989.tif 000011